(57)【特許請求の範囲】
【請求項１】
空気を冷却する冷却用熱交換器（２）と、
前記冷却用熱交換器（２）を収納して空気通路（４）を構成するとともに、前記冷却用熱交換器（２）より空気流れ上流側にて開口した排水口（５）を有する空調ケーシング（３）と、
前記冷却用熱交換器（２）の下端側に溜まった第１凝縮水を前記排水口（５）に導く排水通路（７）を構成するとともに、前記冷却用熱交換器（２）に向かって流通する空気の動圧が前記排水通路（７）を流通する前記第１凝縮水に作用することを防止する壁部材（６）とを有し、
前記壁部材（６）には、前記冷却用熱交換器（２）より空気流れ上流側の空間（４ａ）と前記排水通路（７）とを連通させる連通口（８）が設けられており、
前記冷却用熱交換器（２）のうち空気流れ上流側の面（２ｂ）に付着した第２凝縮水は、前記壁部材（６）の表面を伝って前記連通口（８）から前記排水通路（７）に流入するようになっており、
さらに、前記壁部材（６）のうち前記連通口（８）の外縁部には、この外縁部から前記排水口（５）に向けて延びて、前記連通口（８）から前記排水通路（７）内に流入する空気を前記排水口（５）側に向けて案内する案内部材（９）が設けられていることを特徴とする空調装置のドレン構造。
【請求項２】
前記壁部材（６）は、前記空調ケーシング（３）の内外間を熱が伝わることを抑制する断熱部材を兼ねていることを特徴とする請求項１に記載の空調装置のドレン構造。
【発明の詳細な説明】
【０００１】
【発明の属する技術分野】
本発明は、空調装置のドレン構造に関するもので、蒸発器等の冷却用熱交換器が略水平状態で空調ケーシング内に配設されたものに適用して有効である。
【０００２】
【従来の技術】
空調装置においては、空気を冷却する際に発生する凝縮水が吹出口から室内に吹き出してしまうおそれがあるので、例えば実公昭５５−３３０２号公報に記載のごとく、凝縮水を排水する排水口を設けている。
【０００３】
【発明が解決しようとする課題】
ところで、出願人は、空調装置（空調ケーシング）の小型化を図るべく、蒸発器を略水平に空調ケーシング（以下、ケーシングと略す。）内に配設したもの（特開平９−１２３７４８号）を出願している。
【０００４】
そこで、発明者は、蒸発器を略水平にケーシング内に配設したもの（以下、このものを水平置きユニットと呼ぶ。）に適したドレン構造として、図３に示すような水平置きユニットを試作検討したが、以下に述べる問題が発生した。
【０００５】
すなわち、上記試作品は、インシュレータ６とケーシング３の内壁との間に所定の隙間７を形成するとともに、この隙間７を蒸発器２の下端側に溜まった凝縮水を排水口５に導く排水通路としている。
【０００６】
また、蒸発器２の前面側（蒸発器のうち空気流れ上流側の面２ｂ）に付着した凝縮水、及び外部（吸入口）からケーシング３内に進入した雨水等の水分については、排水通路を形成するインシュレータ６に設けた連通口８から排水通路７に流し込み、蒸発器２の下端側に溜まった凝縮水と共に排水口５から排出するようにしている。
【０００７】
しかし、上記試作品では、連通口８から排水通路７に流れ込む凝縮水と共に送風空気が排水通路７内に流入するため、この流入した送風空気の風圧（動圧）及び連通口を通過した直後の送風空気の乱れにより、排水通路７を流通する凝縮水が巻き上げられ、蒸発器２の下端側に溜まった凝縮水をスムーズ（速やか）に排水することができないという問題が発生した。
【０００８】
本発明は、上記点に鑑み、凝縮水等の水分を速やかにケーシング外に排水することを目的とする。
【０００９】
【課題を解決するための手段】
本発明は、上記目的を達成するために、請求項１、２に記載の発明では、冷却用熱交換器（２）の下端側に溜まった第１凝縮水を排水口（５）に導く排水通路（７）を構成するとともに、冷却用熱交換器（２）に向かって流通する空気の動圧が排水通路（７）を流通する第１凝縮水に作用することを防止する壁部材（６）を有し、壁部材（６）には、冷却用熱交換器（２）より空気流れ上流側の空間（４ａ）と排水通路（７）とを連通させる連通口（８）が設けられており、冷却用熱交換器（２）のうち空気流れ上流側の面（２ｂ）に付着した第２凝縮水は、壁部材（６）の表面を伝って連通口（８）から排水通路（７）に流入するようになっており、さらに、壁部材（６）のうち連通口（８）の外縁部には、この外縁部から排水口（５）に向けて延びて、連通口（８）から排水通路（７）内に流入する空気を排水口（５）側に向けて案内する案内部材（９）が設けられていることを特徴とする。
【００１０】
これにより、流入した空気の風圧（動圧）を緩和する（小さくする）とともに、連通口（８）を通過した直後の空気が乱れることを抑制できるので、排水通路（７）を流通する凝縮水が巻き上げられることを防止でき、凝縮水をスムーズ（速やか）に排水することができる。
【００１２】
また、請求項２に記載のごとく、壁部材（６）にて空調ケーシング（３）の内外間を熱が伝わることを抑制する断熱部材を兼ねさせてもよい。
【００１３】
因みに、上記各手段の括弧内の符号は、後述する実施形態に記載の具体的手段との対応関係を示す一例である。
【００１４】
【発明の実施の形態】
本実施形態は、本発明に係る空調装置のドレン構造を水平置きユニットに適用したものであって、図１は車両用空調装置（水平置きユニット）１のうち蒸発器２部分の拡大図である。ここで、蒸発器２は、フロン等の冷媒を蒸発させることにより、車室内に吹き出す空気（以下、この空気を空調風と呼ぶ。）を冷却する冷却用熱交換器である。
【００１５】
３は蒸発器２を収納するとともに、空調風が流通する空気通路４を構成する樹脂製（本実施形態では、ポリプロピレン製）の空調ケーシング（以下、ケーシングと略す。）であり、蒸発器２は、ケーシング３（空気通路４）のうち空調風が大きく（略９０°）転向する転向部３ａに配設されている。
【００１６】
ここで、蒸発器２は、転向部３ａにおいて、その車両後方側端部側（紙面右側）が車両前方側端部側（紙面左側）より僅かに下方側に位置するように略水平な状態でケーシング３に固定されている。
【００１７】
５はケーシング３内の水分（凝縮水及びケーシング３内に流入した雨水等）をケーシング３外に排水する排水口（ドレン口）であり、この排水口５は、ケーシング３のうち最も下方側部位であって、蒸発器２より空調風流れ上流側で開口している。
【００１８】
６は、蒸発器２の下端側２ａに溜まった凝縮水（以下、この凝縮水を第１凝縮水と呼ぶ。）を排水口５に導く排水通路７を構成するとともに、蒸発器２に向かって流通する空調風の動圧（風圧）が排水通路７を流通する第１凝縮水に作用することを防止する壁部材であり、この壁部材６は、ケーシング３の内外間を熱が伝わることを抑制する断熱部材（インシュレータ）を兼ねるものである。このため、本実施形態では、壁部材６はポリスチレン等の撥水性及び断熱性に優れた（熱伝導率の小さい）樹脂材にて形成されている。
【００１９】
そして、壁部材６のうち排水口５側の端部には、排水通路７と蒸発器２より空調風流れ上流側の空間４ａとを連通させる連通口８が形成されており、この連通口８の外縁部には、この外縁部から排水口５の中心に向けて延びて、連通口８から排水通路７内に流入する空調風を排水口５側に向けて案内する（転向させる）するベルマウス状の案内転向部材（フランジ部、ベルマウス部）９が設けられている。なお、本実施形態では、案内転向部材９は、壁部材６と一体成形されている。
【００２０】
因みに、１０は車両が傾いたときであっても、凝縮水をスムーズに排水通路７に導くための凝縮水案内突起（凝縮水案内リブ）である。
【００２１】
次に、本発明の特徴を述べる。
【００２２】
本実施形態によれば、蒸発器２の前面側（蒸発器２のうち空気流れ上流側の面２ｂ）に付着した凝縮水、及び外部からケーシング３（空間４ａ）内に進入した雨水等の水分（以下、これらを第２凝縮水と呼ぶ。）は、壁部材６の表面を伝って連通口８から排水通路７に流入し、第１凝縮水と合流して排水口５からケーシング３外に排出される。
【００２３】
このとき、第２凝縮水と共に空調風が排水通路７内に流入するが、案内転向部材９により、その流入した空調風が排水口５側に向けて案内される（転向させられる）ので、流入した空調風の風圧（動圧）を緩和する（小さくする）とともに、連通口８を通過した直後の空調風が乱れることを抑制できる。したがって、排水通路７を流通する第１、２凝縮水が巻き上げられることを防止できるので、第１、２凝縮水をスムーズ（速やか）に排水することができる。
【００２４】
ところで、案内転向部材９は、連通口８の外縁部から排水口５に向けてベルマウス状に突出するものであるので、その突出寸法ａ、ｂ（図２参照）が過度に小さいと十分な案内（転向）効果が発揮されない。また、案内転向部９の先端側から排水口５の入口部５ａ（図２参照）までの距離ｃが過度に大きいと、案内転向部９にて空調風を排水口５に向けて転向させても、凝縮水をスムーズに排水させる効果は発揮されない。
【００２５】
そこで、本実施形態では、案内転向部材９の突出寸法ａ、ｂを１ｍｍ以上とするとともに、案内転向部９の先端側から排水口５の入口部５ａまでの距離ｃを４０ｍｍ以下としている。なお、距離ｃが略０の場合には、第２凝縮水は排水通路７に合流しない場合もある。
【００２６】
ところで、上述の実施形態では、水平置きユニットに本発明を適用したが、蒸発器２を略鉛直方向に配設したものであってもよい。
【００２７】
また、上述の実施形態では、案内転向部材９はベルマウス状のものを用いたが、本発明はこれに限定されるものではなく、その他の形状であってもよい。
【００２８】
また、上述の実施形態では、壁部材６が断熱部材（インシュレータ）を兼ねていたが、例えば壁部材６をケーシング３と一体成形してもよい。
【００２９】
また、上述の実施形態では、案内転向部材９が連通口８の外縁部全周に渡って形成されていたが、空調風の流入方向に応じて、適宜、連通口８の外縁部の一部に案内転向部材９を形成してもよい。
【図面の簡単な説明】
【図１】本発明の実施形態に係るドレン構造の模式図である。
【図２】図１の一部拡大図である。
【図３】試作品に係るドレン構造の模式図である。
【符号の説明】
２…蒸発器（冷却用熱交換器）、３…空調ケーシング、４…空気通路、
５…排水口、６…壁部材、７…排水通路、８…連通口、９…案内転向部材。
【図１】
0004253938.tif 000002
【図２】
0004253938.tif 000003
【図３】
0004253938.tif 000004